(57)【要約】【課題】二重配管の本管のエルボ継手からの抜け出しや水漏れの有無を容易に確認できる水栓ボックスを提供する。【解決手段】二重配管１９の本管１９ａが接続された水栓取付け用のエルボ継手１５を収容するエルボ収容部１７と、二重配管１９のさや管１９ｂの端部が接続されるさや管接続部２１とを一体に備えた水栓ボックスにおいて、エルボ継手１５の基端部１５ａと二重配管１９の本管１９ａとの接続部が外部から見えるように窓３３を設けた。水栓ボックス１１を壁１３に取り付ける前の水圧テストの際に、本管１９ａの抜け出しや水漏れを目視で確認できる。【選択図】図２
2008223442.tif 000002
【特許請求の範囲】
【請求項１】
二重配管の本管が接続された水栓取付け用のエルボ継手を収容するエルボ収容部と、前記二重配管のさや管の端部が接続されるさや管接続部とを一体に備えた水栓ボックスにおいて、前記エルボ継手と二重配管の本管との接続部が外部から見えるように窓を設けたことを特徴とする水栓ボックス。
【請求項２】
前記窓に着脱可能又は開閉可能なカバーを取り付けたことを特徴とする請求項１記載の水栓ボックス。
【請求項３】
前記窓を透明なカバーで塞いだことを特徴とする請求項１記載の水栓ボックス。
【発明の詳細な説明】
【技術分野】
【０００１】
本発明は、さや管ヘッダー工法において、水栓取付け用のエルボ継手を壁に固定するために使用される水栓ボックスに関するものである。
【背景技術】
【０００２】
さや管ヘッダー工法に使用される水栓ボックスは、二重配管の本管が接続された水栓取付け用のエルボ継手を収容するエルボ収容部と、前記二重配管のさや管の端部が接続されるさや管接続部とを一体に形成したものである（特許文献１、２参照）。
【０００３】
【特許文献１】特開２００３−２６８８１９号公報
【特許文献２】特開２００３−８３５１８号公報
【発明の開示】
【発明が解決しようとする課題】
【０００４】
さや管ヘッダー工法では、すべての配管工事が完了した後に、水圧をかけて、本管とエルボ継手の接続部などで、本管の抜け出しや水漏れがないことを確認する作業が行われる。一定の水圧をかけた状態で、水圧が低下しなければ、本管の抜け出しや水漏れがないことを確認できるが、水圧が低下した場合は、配管系統のどの部分で本管の抜け出しや水漏れが発生したかを調べる必要がある。
【０００５】
従来の水栓ボックスは、二重配管の本管が接続されたエルボ継手を、エルボ収容部内に収容してしまうと、エルボ継手への本管の挿入状態や水漏れの有無が外部から確認できない。このため、水圧テストで水圧が低下した場合に、本管の抜け出しや水漏れの有無を確認するには水栓ボックスを分解しなければならず、手間がかかるという問題があった。
【０００６】
本発明の目的は、本管の抜け出しや水漏れの有無を容易に確認できる水栓ボックスを提供することにある。
【課題を解決するための手段】
【０００７】
上記目的を達成するため本発明は、二重配管の本管が接続された水栓取付け用のエルボ継手を収容するエルボ収容部と、前記二重配管のさや管の端部が接続されるさや管接続部とを一体に備えた水栓ボックスにおいて、前記エルボ継手と二重配管の本管との接続部が外部から見えるように窓を設けたことを特徴とするものである。
【０００８】
本発明の水栓ボックスにおいて、前記窓には着脱可能又は開閉可能なカバーを取り付けておくことが好ましい。
【０００９】
本発明の水栓ボックスにおいて、前記窓は透明なカバーで塞いでおいてもよい。
【発明の効果】
【００１０】
本発明に係る水栓ボックスは、エルボ継手と二重配管の本管との接続部が外から見えるように窓を設けたので、本管の抜け出しや水漏れの有無を外部から目視で容易に確認することができる。
【００１１】
また、前記窓に、着脱可能又は開閉可能なカバーを取り付けておけば、本管の抜け出しや水漏れの確認のときだけ、カバーを取り外すか開いて確認作業を行うことができ、それ以外のときはカバーを取り付けるか閉じた状態にしておくことにより、水栓ボックス内にゴミ等が入り込むのを防止できる。
【００１２】
また、前記窓を、透明なカバーで塞いでおけば、カバーを取り外したり開いたりすることなく水漏れ等の確認作業を行うことができると共に、水栓ボックス内にゴミ等が入り込むのを防止できる。
【発明を実施するための最良の形態】
【００１３】
＜実施形態１＞  図１及び図２は本発明の一実施形態を示す。図１は水栓ボックス１１を壁に取り付ける前の状態、図２は水栓ボックス１１を壁１３に取り付けた状態を示す。水栓ボックス１１は、エルボ継手１５を収容するエルボ収容部１７と、給水・給湯用二重配管１９のさや管１９ｂの端部を接続するさや管接続部２１とを一体に形成したものである。図１ではさや管の図示を省略してある。エルボ継手１５の基端部１５ａには、二重配管１９の本管１９ａの端部がワンタッチ式で挿入接続されるようになっている。本管１９ａ側には、エルボ継手１５への本管１９ａの挿入状態を示すマーク２３が付されている。また、さや管接続部２１には、さや管１９ｂの端部が袋ナット２５により固定されるようになっている（図２参照）。
【００１４】
水栓ボックス１１の水栓側には、図２に示すように、壁１３の穴に嵌合する筒体２７が取り付けられ、エルボ継手１５の先端部１５ｂはこの筒体２７によって所定に位置に保持されている。筒体２７から突出するエルボ継手１５の先端部１５ｂには化粧ナット２９がねじ結合され、この化粧ナット２９を締め付けることで、水栓ボックス１１及びエルボ継手１５が壁１３に固定される。壁１３に固定されたエルボ継手１５の先端部には水栓３１がねじ込み固定される。
【００１５】
この水栓ボックス１１の特徴は、エルボ継手１５と二重配管の本管１９ａとの接続部が外部から見えるように窓３３を設けたことである。このような窓３３を設けておけば、水圧テスト（水栓ボックス１１を壁１３に固定する前に行われる）の際に、エルボ継手１５と本管１９ａとの接続部で、本管１９ａの抜け出しや水漏れが発生しているか否かを外部から目視で容易に確認することができる。
【００１６】
＜実施形態２＞  図３は本発明の他の実施形態を示す。この水栓ボックス１１が実施形態１の水栓ボックスと異なる点は、実施形態１のように設けられた窓３３に、着脱可能又は開閉可能なカバー３５を取り付けたことである。このようなカバー３５を取り付けておけば、水栓ボックス１１内にゴミ等が入り込むのを防止できる。本管１９ａの抜け出しや水漏れの確認のときは、カバー３５を取り外すか開いて確認作業を行う。
上記以外の構成は実施形態１と同じであるので、同一部分には同一符号を付して説明を省略する。
【００１７】
＜実施形態３＞  図４は本発明のさらに他の実施形態を示す。この水栓ボックス１１が実施形態１の水栓ボックスと異なる点は、実施形態１のように設けられた窓３３を、透明なカバー３７で塞いだことである。このように窓３３を透明なカバー３７で塞いでおけば、カバー３７を取り外したり開いたりすることなく、水栓ボックス１１内で本管１９ａの抜け出しや水漏れが発生しているか否かを目視で容易に確認できると共に、水栓ボックス１１内にゴミ等が入り込むのを防止できる。
【００１８】
上記以外の構成は実施形態１と同じであるので、同一部分には同一符号を付して説明を省略する。
【図面の簡単な説明】
【００１９】
【図１】本発明に係る水栓ボックスの一実施形態を示す斜視図。
【図２】図１の水栓ボックスを壁に取り付けた状態を示す断面図。
【図３】本発明に係る水栓ボックスの他の実施形態を示す斜視図。
【図４】本発明に係る水栓ボックスのさらに他の実施形態を示す斜視図。
【符号の説明】
【００２０】
１１：水栓ボックス
１３：壁
１５：エルボ継手
１７：エルボ収容部
１９：二重配管
１９ａ：本管
１９ｂ：さや管
２１：さや管接続部
２７：筒体
２９：化粧ナット
３１：水栓
３３：窓
３５：着脱可能又は開閉可能なカバー
３７：透明なカバー
【図１】
2008223442.tif 000003
【図２】
2008223442.tif 000004
【図３】
2008223442.tif 000005
【図４】
2008223442.tif 000006